(57)【要約】      （修正有）【課題】主に落下を防止する安全帯を連結させたハーネスと、接触による人身事故を軽減する肉厚の緩衝材をチョッキに付着した保護チョッキとを同時に着用できるとともに、ハーネスと保護チョッキの両機能を損なうことがない安全性を高めた工事作業用安全具を提供する。【解決手段】ハーネス１の左右肩ベルト部の背中でのベルト連結部１５に吊金具１６をベルト連結し、外側の保護チョッキ２の背中に設けた背中スリットの開口部を介して保護チョッキ２の背中に出して、安全帯６の基端部の吊金具連結具と連結する。又、ハーネス１の左右肩ベルト部は保護チョッキ２の内側に設けたベルト通しに通し、又背中中心ベルトはベルト通しに通してハーネス１と保護チョッキ２とを一体化し、又保護チョッキ２のチョッキ生地の肩・背中・腰部・首筋部分に棒状緩衝材を封止した。【選択図】図９
0003218351.tif 000002
【実用新案登録請求の範囲】
【請求項１】
工事作業者の安全の為に着用する安全具であって、機材との接触から作業者の上半身を保護するため作業者の上半身に着用してチョッキ胴ベルトで締着する保護チョッキと、作業者の落下を防止するため他の固定構造物に一端を係止できる安全帯を脱着可能に係留し且つ作業者の左右の肩・胴部及び左右の腿の各部位を連結具付ベルトで掛け廻した左右の肩ベルト部と胴ベルト部と左右の腿ベルト部とを有しこれらを互に連結して作業者の上半身に着用するハーネスとからなり、
前記保護チョッキの内側に前記ハーネスを配置するとともに、前記ハーネスの左右ある肩ベルト部の一部をそれぞれ保護チョッキの内面に係止して一体化して作業者の上半身に前記ハーネスと前記保護チョッキとを重ねて同時に着用できるようにするとともに、ハーネスの左右の肩から背中に延びた左右の肩ベルト部を背中上部位で連結したベルト連結部を設け、前記ベルト連結部の外側となる前記保護チョッキの位置に開口部を設け、ハーネスの前記ベルト連結部に結着された吊金具と安全帯の基端とを前記開口部とを介して連結可能とすることで安全帯をハーネスに脱着可能に係留することを特徴とする、工事作業用安全具。
【請求項２】
前記ハーネスの左右ある肩ベルト部のベルトを、前記保護チョッキの裏面に設けた複数のベルト通しに通して係止して前記ハーネスと保護チョッキとを一体化した、請求項１記載の工事作業用安全具。
【請求項３】
前記開口部が前記ベルト連結部の外側となる前記保護チョッキの位置に設けた水平なスリット状開口部である、請求項１又は２記載の工事作業用安全具。
【請求項４】
前記保護チョッキは、着用した作業者の背中と腰部位に当るチョッキに機材との接触による身体の損傷を軽減する緩衝部材を付着し、前記保護チョッキの腰部位の左右の一部が横方向に延びた腰横延長部を有し、又保護チョッキの左右の肩に掛って腹部位まで所定の巾で縦長に延びた帯状の左右一対の前帯を有し、左右一対ある同前帯の下端部は横に長くしかも同下端部は前記の同じ側にある左又は右の前記腰横延長部に脱着可能に止着し、更に前記左右対向した前帯の下端部間に連結具を中間に有する前ベルトで脱着可能に連結し、前記の腰部位の左右の腰横延長部と左右の前記前帯の下端部と前記前ベルトで前記チョッキ胴ベルトを形成させた構造のものである、請求項１〜３いずれか記載の工事作業用安全具。
【請求項５】
前記保護チョッキの前記左右ある前帯の下端部の脇腹部位側の側部と腰部位の前記同じ側の左又は右の腰横延長部とを面ファスナーでもって脱着自在に止着し、更に左右一対の前記前帯の下端部の対向して重なる中央側部分に面ファスナーを取付けて同中央側部分を脱着自在に連結できる構造とした、請求項４記載の工事作業用安全具。
【請求項６】
前記保護チョッキは、肩の部位及び首背後の部位にも緩衝部材を付着した、請求項１〜５いずれか記載の工事作業用安全具。
【考案の詳細な説明】
【技術分野】
【０００１】
本考案は、建築工事・土木工事において、作業者が建築機材・工具又は作業車と接触して打撲・切傷・転倒・骨折等の人身事故となるのを防ぐため又はその事故を軽減するために上半身に着用する保護チョッキと、作業者が高所から落下するのを防ぐため安定した固定構造物に一端を係止させた安全帯を係留させて作業者の上半身の肩・胴・腿に掛け廻すように着用する落下防止のハーネスとの技術の改良に関する。
【背景技術】
【０００２】
工事用の保護チョッキは、現在広く工事現場で使用されていて、作業者の上半身に着用する汗透気性あるチョッキの背中・腹廻り・肩・首筋等の部位に機材と接触しても強い打撲・切傷・骨折等の人身事故とならないように、発泡スチロール等のある程度弾性があって変形可能な所定厚みの緩衝材をチョッキに付着させている。この保護チョッキは腹部位にある胴ベルト・胸ベルトで締着して上半身から外れないようにしている。又、この保護チョッキのチョッキ表面には人の存在を示す黄色等の警告色の帯，光反射体，蛍光色の文字・図形等があるチョッキ生地・ベルト・ステッカの使用で人の存在をアピールして機材，作業車との接触を避けるようにしている。
【０００３】
又、作業者の高所からの落下を防ぐため上半身に着用するハーネスは、肩・胴部・腿に連結具付のベルトで掛け廻し、互に連結された肩ベルト部・胴ベルト部・腿ベルト部を有し、その肩ベルト部の背中上部位に左右の肩ベルトのベルト連結部を設け、このベルト連結部に吊金具を取付け、同吊金具に先端に係止フックを取付けた安全帯の基端を脱着可能に連結し、先端の係止フックを安定した強固な構造部材に係止して使用することで、作業者の落下をハーネスの吊金具とこれに係留した安全帯によって強固な構造部材に作業者の身体を吊るようにして防ぐものである。
【０００４】
これらの保護チョッキ及びハーネスは特許文献１，２で公知となっている。
【０００５】
しかしながら、落下防止のハーネスを着用した上に、従来の保護チョッキを着用することはできなかった。それはハーネスの背中上部位に吊金具があり、これに上方に吊り上げる安全帯が上方に引出さねばならないが、これがその上に着用した保護チョッキがあると安全帯を首筋から上方に引出すこととなり、安全帯による人体の吊り具合が不自然で不安定で難しいものとなるからである。又、ハーネスと安全帯が上に着用する保護チョッキを脱すように働いて、保護チョッキの着用が不自然となるという問題点が発生していた。
【０００６】
逆に、保護チョッキを着用した上にハーネスを着用することはハーネスのベルトが保護チョッキの表面を滑って肩・胴廻り・腿廻りの掛け廻しによる上半身の強固な装着が外れ、ハーネスが外れる可能性があった。特に保護チョッキに肉厚の緩衝材の付着があると、ハーネスの着用が不完全となる。
よって、ハーネスと保護チョッキの同時着用が難しく一方のみの着用となり、落下防止か接触による損傷防止かの選択しかなかった。
更に、特許文献１には一般的ハーネスを単独で装着する構造について説明があるが、緩衝材を背中・肩・腰に付着させた工事作業用保護服との組み合せについて何ら開示がない。又、特許文献２にはハーネスと作業服との組み合せについて開示があるが、ハーネスの安全帯との吊上げ位置が背中上部でないため、ハーネスと作業服との組み合せただけで、安全に吊ることが難しい。更に、緩衝材を背中・肩・腰に多く付着させた安全性が高い厚手の保護服とハーネスとを組み合せて同時装着することは難しいと判断される。
【先行技術文献】
【特許文献】
【０００７】
【特許文献１】特開２０１７−２０５２１６号公報
【特許文献２】実用新案登録第３２１２８８０号公報
【考案の概要】
【考案が解決しようとする課題】
【０００８】
本考案が解決しようとする課題は、従来の問題点を解消し、従来の工事用保護チョッキの機能と、落下防止のハーネスの機能を同時に保有し、落下を防ぐとともに機材との接触でも損傷を受けにくく両機能を有する優れた工事用安全具を提供するもので、しかも従来のハーネスと保護チョッキの部分改良で製造でき、着用が容易迅速にでき、しかもより安全な工事用安全具を提供することにある。
【課題を解決するための手段】
【０００９】
かかる課題を解決した本考案の構成は、
１）  工事作業者の安全の為に着用する安全具であって、機材との接触から作業者の上半身を保護するため作業者の上半身に着用してチョッキ胴ベルトで締着する保護チョッキと、作業者の落下を防止するため他の固定構造物に一端を係止できる安全帯を脱着可能に係留し且つ作業者の左右の肩・胴部及び左右の腿の各部位を連結具付ベルトで掛け廻した左右の肩ベルト部と胴ベルト部と左右の腿ベルト部とを有しこれらを互に連結して作業者の上半身に着用するハーネスとからなり、
前記保護チョッキの内側に前記ハーネスを配置するとともに、前記ハーネスの左右ある肩ベルト部の一部をそれぞれ保護チョッキの内面に係止して一体化して作業者の上半身に前記ハーネスと前記保護チョッキとを重ねて同時に着用できるようにするとともに、ハーネスの左右の肩から背中に延びた左右の肩ベルト部を背中上部位で連結したベルト連結部を設け、前記ベルト連結部の外側となる前記保護チョッキの位置に開口部を設け、ハーネスの前記ベルト連結部に結着された吊金具と安全帯の基端とを前記開口部とを介して連結可能とすることで安全帯をハーネスに脱着可能に係留することを特徴とする、工事作業用安全具
２）  前記ハーネスの左右ある肩ベルト部のベルトを、前記保護チョッキの裏面に設けた複数のベルト通しに通して係止して前記ハーネスと保護チョッキとを一体化した、前記１）記載の工事作業用安全具
３）  前記開口部が前記ベルト連結部の外側となる前記保護チョッキの位置に設けた水平なスリット状開口部である、前記１）又は２）記載の工事作業用安全具
４）  前記保護チョッキは、着用した作業者の背中と腰部位に当るチョッキに機材との接触による身体の損傷を軽減する緩衝部材を付着し、前記保護チョッキの腰部位の左右の一部が横方向に延びた腰横延長部を有し、又保護チョッキの左右の肩に掛って腹部位まで所定の巾で縦長に延びた帯状の左右一対の前帯を有し、左右一対ある同前帯の下端部は横に長くしかも同下端部は前記の同じ側にある左又は右の前記腰横延長部に脱着可能に止着し、更に前記左右対向した前帯の下端部間に連結具を中間に有する前ベルトで脱着可能に連結し、前記の腰部位の左右の腰横延長部と左右の前記前帯の下端部と前記前ベルトで前記チョッキ胴ベルトを形成させた構造のものである、前記１）〜３）いずれか記載の工事作業用安全具
５）  前記保護チョッキの前記左右ある前帯の下端部の脇腹部位側の側部と腰部位の前記同じ側の左又は右の腰横延長部とを面ファスナーでもって脱着自在に止着し、更に左右一対の前記前帯の下端部の対向して重なる中央側部分に面ファスナーを取付けて同中央側部分を脱着自在に連結できる構造とした、前記４）記載の工事作業用安全具
６）  前記保護チョッキは、肩の部位及び首背後の部位にも緩衝部材を付着した、前記１）〜５）いずれか記載の工事作業用安全具
にある。
【考案の効果】
【００１０】
本考案によれば、落下防止のハーネスと安全帯により作業者の落下を防止し、又機材との接触による人体の損傷を防ぐ保護チョッキとハーネスと安全帯とを一体化して同時に迅速に着用でき、しかも両機能を互に阻害することなく発揮できるようにする。しかも、安全帯はハーネスの背中の上部位のベルト連結部に連結された吊金具を外側の保護チョッキの背中の開口部から外に出して、これに安全帯の基端と連結できるのでハーネスの落下防止機能は保護チョッキによって阻害されることなく確実に作用する。又、吊金具と安全帯が保護チョッキの背中の開口部から上方に引出されるので人体を直接支えるように吊れ、しかも吊金具と安全帯が保護チョッキを脱すように働くこともない。よって、迅速容易にハーネスと保護チョッキとを上半身に同時に着用でき、且つ両機能の十全な働きを得ることができ、優れたものとなる。
【図面の簡単な説明】
【００１１】
【図１】図１は実施例のハーネスの装着状態を示す正面図である。
【図２】図２は実施例のハーネスの装着状態を示す背面図である。
【図３】図３は実施例のハーネスの平面展開状態を示す説明図である。
【図４】図４は実施例の保護チョッキを示す正面図である。
【図５】図５は実施例の保護チョッキの左右腰横延長部を省略した背面図である。
【図６】図６は実施例の保護チョッキの左右腰横延長部を半分位置で折り返し且つ左右前帯を左右外方向に拡げた状態を示す正面図である。
【図７】図７は実施例の保護チョッキの左右前帯を一部省略した左右腰横延長部を左右外方向に拡げた状態と左右腰横延長部を折り返した状態を示す説明図である。
【図８】図８は実施例の保護チョッキの左右前帯の正面（ａ）と背面（ｂ）を示す説明図である。
【図９】図９は実施例の安全帯で吊り下げ状態を示す説明図である。
【図１０】図１０は実施例の保護チョッキの緩衝材の付着状態を示す縦断面図である。
【考案を実施するための形態】
【００１２】
本考案のハーネスと保護チョッキとの一体化は、実施例の如くハーネスのベルトを保護チョッキの内面に設けたベルト通しに挿入して一体化する方法以外に、ハーネスと保護チョッキとの重なり部分を面ファスナー・ボタン・連結金具で連結する方法あるいは互に重なり部分を縫止することでも可能である。しかし、ハーネスのベルトを保護チョッキのベルト通しに挿入する一体化方法では、ハーネスのサイズを保護チョッキのサイズと独立して選択でき、作業者の身体に適切なサイズの保護チョッキ・ハーネスを組み合せて使用できるので好ましい。
又、ハーネスのベルトの途中にはベルト長さ調整用ベルト調整器及びベルト連結具を設け、着用する作業者のサイズに適合させるようにすることが好ましい。
又、保護チョッキの背中の開口部は、上下巾の狭い水平スリット形状以外も可能で、吊金具が引出せる穴形状・開口形状でもよく、これは本考案に含まれるものである。更に、吊金具の方を保護チョッキの背中外側にして安全帯の基端を保護チョッキの外側で連結させる場合と、吊金具は保護チョッキ内側に配置し、安全帯の基端部を前記開口部を介して保護チョッキ内に導入し、保護チョッキの内側で吊金具と安全帯の基端部を連結するようにする場合とがある。
【実施例】
【００１３】
本考案を図１〜１０に示す実施例をもって説明する。本実施例は、保護チョッキ２のチョッキ生地は防水性の樹脂製の生地であり、内面にネット裏地を縫着し、空気流通発汗性を良好にしている。そのチョッキ生地の背中・胴部・左右肩部・首筋背面に当る生地に棒状の弾性ある緩衝材を表と裏のチョッキ生地間に複数列封止して、作業者の上半身を機材等の接触による打撲・切傷・骨折事故から防ぐ。そして、ハーネス１は左右の肩ベルト部・胴ベルト部及び腿ベルト部を有し、左右の肩ベルト部は背中上部位のベルト連結部で連結され、これに安全帯の吊金具が接続されている。又、前記ベルト連結部から下方の左右肩ベルトは背中中心ベルトとして一本化されて腿ベルト部へ下方に延びている。更に、同ハーネスのベルトは前記保護チョッキの左右の各前帯の肩より低い上方内面に取付けられたベルト通しに挿入される。一本化された背中中心ベルトは保護チョッキの背中の下部に当るチョッキ生地に取付けられたベルト通しに挿入され、それぞれ適切なサイズのものが選択されたハーネスと保護チョッキとは一体化され、着用もハーネスと保護チョッキとは同時に作業者の上半身に着用できるようになっている。ハーネスの腿ベルト部は上半身に着用後に、腿ベルト部にある連結器・長さ調整器（図示せず）を使って作業者の腿に巻回して固着する。
【００１４】
そして、背中上部位の左右肩ベルト部のベルト連結部に取付けられた吊金具は、保護チョッキの開口部である背中スリットから外側に露出させ、これに安全帯の基端の吊金具連結具によって吊金具は安全帯に脱着可能に連結させる。作業者が落下しそうになると、上半身のハーネスに連結した吊金具に取付けた安全帯の先端の係止フックが安定固定部材に係止されることで、作業者を背中の吊金具を介して吊るようにして落下しないようにした例である。
【００１５】
（実施例の構造と符号の説明）
図中、Ｇは本考案の実施例の工事作業用安全具、１は強度あるベルトで製作された実施例のハーネス、１０は同ハーネス１の右肩ベルト部、１０１は同右肩ベルト部１０の正面側ベルト、１０２は同右肩ベルト部１０の背中側ベルト、１１は同ハーネス１の左肩ベルト部、１１１は同左肩ベルト部１１の正面側ベルト、１１２は同左肩ベルト部１１の背中側ベルト、１１３は左肩ベルト部１１と右肩ベルト部１０とがベルト連結部１５で連結された下方の一本化された背中中心ベルト、１１４は左右肩ベルト部１０，１１を正面側で連結する胸ベルト、１１４１は胸ベルト１１４の左右の連結器、１２は同ハーネス１の胴ベルト部、１２１は同胴ベルト部の胴ベルト、１２２は同胴ベルトの嵌合式のベルト止具、１２３は同ベルト止具１２２と連結する相手方ベルト止具、１３はハーネス１の右腿ベルト部、１３１は同右腿ベルト部のベルトの中間に設けた連結具、１４はハーネス１の左腿ベルト部、１４１は同左腿ベルト部のベルトの中間に設けた連結具、１５はハーネス１の右肩ベルト部１０と左肩ベルト部１１との背中上部位でのベルト連結部、１６は同ベルト連結部にベルトで取付けられた吊金具、１７はハーネス１のベルト途中に設けられたその他の連結具、２は実施例の保護チョッキ、２０は防水性の樹脂製のチョッキ生地、２１は同チョッキ生地の内側に取付けた通気性と通汗性を良くするためのネット裏地、２１１はネット裏地２１の背面側に縫着したＶ字状ネット裏帯、２２は同保護チョッキ２のチョッキ背中部、２３は同保護チョッキ２のチョッキ腰部、２３１は同チョッキ腰部２３から外右方向に延びた右腰横延長部、２３１１は同右腰横延長部２３１の背面に設けた帯状の面ファスナー、２３１２はネット裏地２１の腰部・同右腰横延長部２３１・左腰横延長部２３２及び背面に取付けた緑黄色警告帯、２３２はチョッキ腰部２３から外左方向に延びた左腰横延長部、２３２１は同左腰横延長部２３２の背面の外端面に設けた面ファスナー、２３２２は同左腰横延長部２３２の背面に取付けた緑黄色警告帯、２４は保護チョッキ２の右肩部位から腹部の中央に向って縦長に延びた右前帯、２４０は同右前帯の前面中央に取付けた縦長の緑黄色警告帯、２４１は同右前帯の下端の横長の下端部、２４１１は同下端部２４１の正面中央側に設けた面ファスナー、２４１２は下端部２４１の前面に取付けた横長の緑黄色警告帯、２４１３は下端部２４１の前面に形成した前ベルト、２４１４は同前ベルトのベルト連結器、２４１５は下端部２４１の背面の中央側に設けた短い面ファスナー、２５は保護チョッキ２の左肩部から腹部の中央に向って縦長に延びた左前帯、２５０は同左前帯の前面中央に取付けた縦長の緑黄色警告帯、２５１は同左前帯の下端の横長の下端部、２５１１は同下端部の背面中央側に設けた面ファスナー、２５１２は下端部２５１の前面に取付けた横長の緑黄色警告帯、２５１３は下端部２５１の背面の外側部分に取付けた面ファスナー、２５１４はベルト連結部２５１５を取付けるベルト、２５１５は下端部２５１の中央側端に取付けられた前記下端部２４１のベルト連結器２４１４と脱着自在に連結できるベルト連結部である。２６はチョッキ胴ベルト、２７は保護チョッキ２の背面に取付けた光反射警告帯、２８はチョッキ首筋部、２９はチョッキ肩部である。
【００１６】
３は表と裏のチョッキ生地２０の間に封止された直径２ｃｍ程の棒状の弾性体の緩衝材、４は保護チョッキ２の肩よりやや低い背中位置に設けた開口部である１２ｃｍ長さの水平な背中スリット、５１，５２は左前帯２５，右前帯２４の肩部位より少し下方の裏面に取付けたベルト通し、５３は保護チョッキ２の内側の背中中央の腰部位に設けたベルト通しである。
６は安全帯、６０はその先端の係止フック、６１は安全ベルト、６２は同安全ベルト６１の基端に取付けられ、吊金具１６と脱着自在に連結する吊金具連結具で安全帯６の基端部でもある。
【００１７】
本考案の工事作業用安全具Ｇは保護チョッキ２の内側にハーネス１を配置し、ハーネス１の左右の肩ベルト部１０，１１のベルトを保護チョッキ２の左前帯２５，右前帯２４の内側で肩部位よりやや下方に設けたベルト通し５１，５２に及び背中中心ベルト１１３のベルトを保護チョッキ２の内面の背中下位置のベルト通し５３に挿入することで、ハーネス１と保護チョッキ２とを一体化し、ハーネス１と保護チョッキ２とを同時に着用できるようになった。よって、保護チョッキ２とハーネス１の着用が容易迅速にできる。更に、ハーネス１と保護チョッキ２とは上記のベルトとベルト通し５１，５２，５３との挿入以外に、ハーネス１の左右肩ベルト部１０，１１・左右腿ベルト部１３，１４と胴ベルト部１２とで人体に密着させた上から保護チョッキ２のチョッキ胴ベルト２６（右腰横延長部２３１，右前帯２４の下端部２４１，前ベルト２４１３，ベルト連結器２４１４，ベルト連結部２５１５，下端部２５１，左前帯２５，左腰横延長部２３２）との間を面ファスナー２３１１，２３２１，２４１１，２４１５，２５１１，２５１３によって脱着自在に連結して形成されるチョッキ胴ベルト２６によって締着することで一体化され、ハーネス１と保護チョッキ２とは一体化し、着用中は分離することがないようになっている。ハーネス１は左右肩ベルト部１０，１１，胴ベルト部１２，左右腿ベルト部１３，１４でしっかり人体に固定されている。
【００１８】
尚、ハーネス１と保護チョッキ２とは同時に着用できるが、ハーネス１の左右肩ベルト部１０，１１が、着用した作業者の身体と密着するように肩ベルト部１０，１１に取付けたベルト長さ調整器（図示せず）とベルト連結器とで調整する。又、胴ベルト部１２及び左右腿ベルト部１３，１４とも着用する作業者の身体と密着するようにそれらベルトに付属したベルト長さ調整器（図示せず）とベルト連結具とで調整する。これらハーネス１の器具については周知であるので図・説明を省略している。
【００１９】
（保護チョッキのチョッキ胴ベルトの締着）
保護チョッキ２におけるチョッキ胴ベルト２６は、右腰横延長部２３１の外側部分を所定位置で折り返し、同右腰横延長部２３１の背面の面ファスナー２３１１を正面に露出させ、これに右前帯２４の下端部２４１の背面の外側部に設けた面ファスナー２４１１を所定の位置で重ねてファスナー連結する。同様に、保護チョッキ２の左腰横延長部２３２を所定位置で折り返し、同左腰横延長部の背面の外側部分にある面ファスナー２３２１を正面に露出させ、これに左前帯２５の下端部２５１の背面の外側部分に設けた面ファスナー２５１３を所定位置で重ねてファスナー連結する。
更に、右前帯２４の下端部２４１の中央側にあるベルト連結器２４１４を左前帯２５の下端部２５１の中央側にあるベルト連結部２５１５と嵌合連結する。
【００２０】
又、右前帯２４の同下端部２４１の正面中央側に設けた面ファスナー２４１５と、左前帯２５の下端部２５１の背面の中央側部分に設けた面ファスナー２５１１とを重ねてファスナー連結する。即ち、右の下端部２４１と左の下端部２５１とはベルト連結器２４１４とベルト連結部２５１５との連結の他に、面ファスナー２４１５，２５１１のファスナー連結によって二重に連結される。これによって、保護チョッキ２のチョッキ胴ベルト２６は右腰横延長部２３１，右前帯２４，左腰横延長部２３２，左前帯２５とを面ファスナーと連結器とで連結して構成されている。ベルトの締めつけ長さは、面ファスナー同士の重ねるファスナー連結の位置で調整され、作業者の腹・腰のサイズに応じて締着する。
【００２１】
次に、左肩ベルト部１１と右肩ベルト部１０とは背中の肩より低い上部位で互に連結されてベルト連結部１５を設けていて、このベルト連結部１５に吊金具１６がベルトで強固に連結されている。吊金具１６は保護チョッキ２の背中の開口部である背中スリット４から外側に出されて、安全帯６の基端の吊金具連結具６２と強固に連結されている。
【００２２】
従って、作業者が落下しようとしても、安全帯６の係止フック６０が強固な構造体の一部に係止されていれば、安全帯６が吊金具１６と連結されてハーネス１を介して作業者の自重等を支えて作業者の落下を防いでいる。
安全帯６は保護チョッキ２の背中スリット４から外に出された吊金具１６に基端の吊金具連結具６２と連結されている。このように、安全帯６は大略作業者の体重の重心の上方の背中上部を吊り上げるように吊って、作業者の落下を確実に防いでいる。従って、この安全帯６・吊金具１６は開口部を介して連結できるので保護チョッキ２の着用の支障となることはない。
【００２３】
このハーネス１は左右肩ベルト部１０，１１，胴ベルト部１２，左右腿ベルト部１３，１４によって人体と密着して、しかも背中のベルト連結部１５は人体の重心の上方にあって安全に吊ることができる。よって、吊金具１６が保護チョッキ２の開口部の背中スリット４を介して上方に吊り上げられるので、人体をバランスよく吊れる。又、安全帯６及び吊金具１６がハーネス１と保護チョッキ２とを分離させたり、脱すように働くこともない。
【００２４】
よって、本考案によればハーネスと保護チョッキを同時着用でき、着用は迅速且つ容易である。しかも安全帯も保護チョッキの背中の開口部（スリット）から引出して使用できるので、保護チョッキが安全帯の使用の支障もなく使用でき、しかも保護チョッキの機能とハーネスの落下防止機能を同時に達成できる優れた安全具とした。
【産業上の利用可能性】
【００２５】
本考案は、主に土木建築工事において使用されるが、その他の高所作業・電気工事あるいはスポーツにおいて安全服としても着用できる。
【符号の説明】
【００２６】
Ｇ    工事作業用安全具
１    ハーネス
１０    右肩ベルト部
１０１    正面側ベルト
１０２    背中側ベルト
１１    左肩ベルト部
１１１    正面側ベルト
１１２    背中側ベルト
１１３    背中中心ベルト
１１４    胸ベルト
１１４１    胸ベルト連結器
１２    胴ベルト部
１２１    胴ベルト
１２２    ベルト止具
１２３    相手方ベルト止具
１３    右腿ベルト部
１３１    連結具
１４    左腿ベルト部
１４１    連結具
１５    ベルト連結部
１６    吊金具
１７    連結具
２    保護チョッキ
２０    チョッキ生地
２１    ネット裏地
２１１    Ｖ字状ネット裏帯
２２    チョッキ背中部
２３    チョッキ腰部
２３１    右腰横延長部
２３１１    面ファスナー
２３１２    緑黄色警告帯
２３２    左腰横延長部
２３２１    面ファスナー
２３２２    緑黄色警告帯
２４    右前帯
２４０    緑黄色警告帯
２４１    下端部
２４１１    面ファスナー
２４１２    緑黄色警告帯
２４１３    前ベルト
２４１４    ベルト連結器
２４１５    面ファスナー
２５    左前帯
２５０    緑黄色警告帯
２５１    下端部
２５１１    面ファスナー
２５１２    緑黄色警告帯
２５１３    面ファスナー
２５１４    ベルト
２５１５    ベルト連結部
２６    チョッキ胴ベルト
２８    チョッキ首筋部
２９    チョッキ肩部
３    緩衝材
４    背中スリット（開口部）
５１，５２    左右の肩ベルトのベルト通し
５３    保護チョッキ内面の中央部に設けたベルト通し
６    安全帯
６０    係止フック
６１    安全ベルト
６２    吊金具連結具（安全帯の基端部）
【図１】
0003218351.tif 000003
【図２】
0003218351.tif 000004
【図３】
0003218351.tif 000005
【図４】
0003218351.tif 000006
【図５】
0003218351.tif 000007
【図６】
0003218351.tif 000008
【図７】
0003218351.tif 000009
【図８】
0003218351.tif 000010
【図９】
0003218351.tif 000011
【図１０】
0003218351.tif 000012